(57)【要約】【課題】  撮影前にユーザがリフォーカスしたい領域を指定し、その領域に合焦したリフォーカス画像を生成することを可能にした撮像装置を提供すること。【解決手段】  撮像画像を生成する撮像手段と、距離マップ取得手段と、距離マップ管理手段と、フォーカス範囲指示手段と、フォーカス可能判定手段と、レンズ設定判定手段と、表示手段を有し、フォーカス可能判定手段は、フォーカス範囲指示手段によって指示された範囲がリフォーカス可能範囲であるかを判定することを特徴とし、レンズ設定判定手段は、フォーカス可能判定手段の判定結果に応じて、レンズ設定を変えるかを判定することを特徴とし、表示手段は、レンズ設定判定手段の判定結果に応じて、レンズ設定変更に関する表示をすることを特徴とする構成とした。【選択図】  図１
2019023679.tif 000002
【特許請求の範囲】
【請求項１】
撮像画像を生成する撮像手段と、
距離マップ取得手段と、
距離マップ管理手段と、
フォーカス範囲指示手段と、
フォーカス可能判定手段と、
レンズ設定判定手段と、
表示手段を有し、
フォーカス可能判定手段は、フォーカス範囲指示手段によって指示された範囲がリフォーカス可能範囲であるかを判定することを特徴とし、
レンズ設定判定手段は、フォーカス可能判定手段の判定結果に応じて、レンズ設定を変えるかを判定することを特徴とし、
表示手段は、レンズ設定判定手段の判定結果に応じて、レンズ設定変更に関する表示をすることを特徴とする撮像装置。
【請求項２】
前記撮像部は複数の瞳分割手段を有し、複数の撮像画像を取得することを特徴とし、前記距離マップ取得手段は、前記撮像部で取得した複数の撮像画像から、撮像画角内の距離情報を取得することを特徴とする、請求項１に記載の撮像装置。
【請求項３】
前記距離マップ管理手段は、前記距離マップ取得手段によって取得された距離情報を保持し、指定された領域の距離情報を参照できることを特徴とする、請求項２に記載の撮像装置。
【請求項４】
前記フォーカス可能判定手段は、前記距離マップ管理手段が保持する距離情報から、前記フォーカス範囲指示手段によって指示された範囲の距離情報を参照し、距離情報が取得できた場合はリフォーカス可能と判定し、距離情報が取得できなかった場合はリフォーカス不可能と判定することを特徴とする、請求項３に記載の撮像装置。
【請求項５】
前記レンズ設定判定手段は、前記フォーカス可能判定手段によりリフォーカス不可能と判定されたとき、レンズ設定を判断することを特徴とする、請求項４に記載の撮像装置。
【請求項６】
前記レンズ設定判定手段は、レンズ情報取得手段とレンズ情報管理手段を有し、
レンズ情報取得手段は撮像装置のレンズ情報を取得することを特徴とし、レンズ情報管理手段は、前記レンズ情報取得手段で取得したレンズ情報を管理することを特徴とする、請求項５に記載の撮像装置。
前記フォーカス可能判定手段によりリフォーカス不可能と判定されたとき、前記レンズ情報管理手段が保持するレンズの情報に基づいて、レンズ設定を判断し、通知することを特徴とする、請求項５に記載の撮像装置。
【請求項７】
前記レンズ設定判定手段は、前記レンズ情報取得手段によりレンズ情報を取得できたときは、前記レンズ情報管理手段が保持するレンズの情報に基づいて、レンズ設定を判断し、通知することを特徴とする。請求項６に記載の撮像装置。
【請求項８】
前記レンズ設定判定手段は、前記レンズ情報取得手段によりレンズ情報を取得できたときは、前記レンズ情報管理手段が保持するレンズの情報に基づいて、レンズ設定を判断し、リフォーカスできるレンズの設定を通知することを特徴とする、請求項７に記載の撮像装置。
【請求項９】
前記レンズ設定判定手段は、前記レンズ情報取得手段によりレンズ情報を取得できたときは、前記レンズ情報管理手段が保持するレンズの情報に基づいて、レンズ設定を判断し、レンズの設定を変更してもリフォーカスできないことを通知することを特徴とする、請求項８に記載の撮像装置。
【請求項１０】
前記レンズ情報管理手段が保持するレンズ情報および、前記レンズ設定判定手段が判断するレンズ設定は、絞り、焦点距離に関する情報であることを特徴とする、請求項９に記載の撮像装置。
【発明の詳細な説明】
【技術分野】
【０００１】
本発明は、撮像装置に関し、特に撮影時にリフォーカス範囲を指定して任意の位置に合焦した画像を得る方法に関するものである。
【背景技術】
【０００２】
従来、デジタルカメラの撮像装置には、被写体を検出する機能を有し、検出した被写体が存在する画像領域に、自動的にピントや露出を合わせることが可能なＡＦ機能を備えたものがある。しかし、被写界深度が浅いと複数の被写体にピントがあった画像が撮影できない。そこで、全被写体に対してフォーカスレンズを駆動してＡＦを合わせて複数毎の画像を撮影するフォーカスブラケット撮影により、複数の被写体にピントがあった画像を撮影する撮像装置が提案されている。しかしフォーカスブラケット撮影は、基本的にフォーカスレンズを無限遠位置から至近位置までスキャンさせる必要があるため、ＡＦ動作に時間がかかってしまうという問題があった。
【０００３】
そこで例えば特許文献１では、異なる瞳領域から複数の画像を撮像し、撮像後に任意の被写体に合焦調整をおこなうリフォーカス処理によって合焦可能な被写体にはフォーカスレンズ駆動によるＡＦをしない。それにより、フォーカスブラケット撮影時のフォーカスレンズ駆動の負荷を軽減させる技術が開示されている。
【０００４】
また、特許文献２では、主要被写体に優先的にフォーカスレンズ駆動でＡＦを合わせてフォーカスブラケット撮影をおこなう。これにより、リフォーカス処理をすることなく、撮影直後に主要被写体に合焦した画像を得ることができ、かつその他の被写体はリフォーカス処理で合焦した画像を得ることができる技術が開示されている。
【先行技術文献】
【特許文献】
【０００５】
【特許文献１】特開２０１４−００７５８０号公報
【特許文献２】特開２０１３−１６１０６５号公報
【発明の概要】
【発明が解決しようとする課題】
【０００６】
しかしながら、上述の特許文献に開示された従来技術では、フォーカスブラケット撮影をおこなうため、複数毎の画像を撮影することになる。また、リフォーカス処理をするため、１回の撮影につき瞳分割領域分の画像を生成し、撮影後にリフォーカス処理をして合焦した画像を得ることになる。そのため、複数の画像を保存する必要があったり、撮影直後に合焦した画像を得ることができなかったりした。
【０００７】
そこで、本発明の目的は、撮影前にユーザがリフォーカスしたい領域を指定し、その領域に合焦したリフォーカス画像を生成することを可能にした撮像装置を提供することである。
【課題を解決するための手段】
【０００８】
上記目的を達成するために、本発明は、撮像画像を生成する撮像手段と、距離マップ取得手段と、距離マップ管理手段と、フォーカス範囲指示手段と、フォーカス可能判定手段と、レンズ設定判定手段と、表示手段を有し、フォーカス可能判定手段は、フォーカス範囲指示手段によって指示された範囲がリフォーカス可能範囲であるかを判定することを特徴とし、レンズ設定判定手段は、フォーカス可能判定手段の判定結果に応じて、レンズ設定を変えるかを判定することを特徴とし、表示手段は、レンズ設定判定手段の判定結果に応じて、レンズ設定変更に関する表示をすることを特徴とする。
【発明の効果】
【０００９】
本発明によれば撮影前にユーザがリフォーカスしたい領域を指定し、その領域に合焦したリフォーカス画像を生成することを可能にした撮像装置を提供することができる。
【図面の簡単な説明】
【００１０】
【図１】撮像装置１００の構成例を示したブロック図
【図２】静止画を撮像し、記録するまでの処理フローを示したフローチャート
【図３】レンズ設定の判定に関するフローを示したフローチャート
【図４】レンズ設定の判定に関するもう１つのフローを示したフローチャート
【図５】焦点距離に関する情報の判定に関するフローを示したフローチャート
【発明を実施するための形態】
【００１１】
以下に、本発明の好ましい実施の形態を、添付の図面に基づいて詳細に説明する。図１は、本発明の実施形態にかかわる撮像装置１００の構成例を示したブロック図である。
【００１２】
撮像装置１００は、撮像部１０１と、光学系１０２と、撮像素子１０３と、Ａ／Ｄ変換部１０４と、画像処理部１０５と、距離マップ取得部１０６と、距離マップ管理部１０７と、操作部１０８と、フォーカス範囲指定部１０９と、フォーカス可能判定部１１０と、レンズ設定判定部１１１と、揮発性メモリ１１２と、不揮発性メモリ１１３と、表示部１１４と、記録媒体制御部１１５と、記録媒体１１６と、制御部１１７と、バス１１８によって構成される。
【００１３】
撮像部１０１は、光学系１０２、撮像素子１０３、Ａ／Ｄ変換部１０４からなり、光学系１０２から入射した光をデジタル画像信号に変換する撮像処理をおこなう。
【００１４】
光学系１０２は、複数枚のレンズ、レンズ群、およびフォーカスリングから構成される。複数枚のレンズの中には、可動なフォーカスレンズを含む。フォーカスリングを回転してフォーカスレンズの位置を調整することにより、撮像装置１００の焦点調整をおこなうことができる。
【００１５】
撮像素子１０３は、光学系１０２で受光した光をアナログ画像信号に変換する。変換したアナログ画像信号をＡ／Ｄ変換部１０４へ出力する。ここで、撮像素子１０３の１つの画素は複数の瞳分割領域を持ち、受講した光を瞳分割領域ごとにアナログ画像信号に変換できるものとする。
【００１６】
Ａ／Ｄ変換部１０４は、撮像素子１０３が変換したアナログ画像信号をデジタル画像信号へ変換する。画像処理部１０５は、デジタル画像信号に対して任意の画像処理をおこなう。画像処理はリフォーカス処理、合成処理、回転処理、色変換処理、リサイズ、圧縮などが挙げられる。画像処理部１０５は、Ａ／Ｄ変換部１０４で変換した瞳分割領域ごとのデジタル画像信号に任意の画像処理を施すことができる。
【００１７】
距離マップ取得部１０６は、瞳分割領域ごとのデジタル画像信号を用いて、画角内の被写体の位相差を検出し、デフォーカス量を求めることで、被写体の距離情報を取得する。距離マップ管理部１０７は、距離マップ取得１０６で取得した距離マップを管理する。そして、画角内の指定された領域や被写体の距離情報を参照できる。
【００１８】
操作部１０８は、ユーザが撮像装置１００を外部から操作するレリーズボタン、電源ボタン等で構成される。ユーザは操作部１０８を操作し、静止画撮影や電源投入の指示をする。操作部１０８はフォーカス範囲指定部１０９を含む。
【００１９】
フォーカス範囲指定部１０９は、ユーザが画角内でフォーカスを合わせたい範囲や被写体を指定するためのもので、タッチパネル、ダイヤルなどの操作部材から構成される。フォーカス可能判定部１１０は、フォーカス範囲指定部１０９によりユーザが指定した範囲や被写体について、距離マップ１０７から距離情報を取得し、リフォーカスによる合焦が可能かを判断する。
【００２０】
レンズ設定判定部１１１は、フォーカス可能判定部１１０によりリフォーカスによる豪商ができないと判定されたとき、レンズ設定をどう変えるかを判断する。揮発性メモリ１１２は、各ブロックにおいて生成したデータを記録するためのＤＲＡＭである。不揮発性メモリ１１３は、撮像装置１００を制御するためのプログラム、設定値、定数などを格納するフラッシュＲＯＭである。表示部１１４は、揮発性メモリ１１２に記録されている画像を表示したり、ユーザに対してレンズ設定などの情報を表示したりする。
【００２１】
記録媒体制御部１１５は、揮発性メモリ１１２に記録された画像や動画像を記録媒体１１６に記録するように制御する。記録媒体１１６は、撮影した画像や動画像を記録するための媒体であり、半導体メモリや磁気ディスク等から構成される。制御部１１７は、複発性メモリ１１３からプログラムをロードして実行することで、バス１１８に接続した各ブロックを制御する。バス１１８は、各ブロックを接続するバスである。
【００２２】
なお、図１に示して説明した撮像装置の構成は一例であり、以下に説明する動作を実行できるのであれば、本発明に係る撮像装置の構成は、図１に示した構成に限定されるものではない。
【００２３】
［実施例１］
以下、図２および図３を参照して、本発明の第1の実施例による、撮影時においてユーザが指定した範囲に対してリフォーカスによる合焦処理をおこない、画像を生成する処理について説明する。
【００２４】
図２は静止画を撮像し、記録するまでの処理フローを示したフローチャートである。ステップＳ２０１は、撮像部１０１によりライブビュー用のキャプチャをするステップである。ステップＳ２０２は、距離マップ取得部１０６により距離マップを取得するステップである。ステップＳ２０３は、レリーズボタンが半押しされているかを判断するステップである。Ｓ２０４は、フォーカス範囲指定部１０９によりフォーカス範囲が指定されているかを判定するステップである。Ｓ２０５は、フォーカス範囲指定部１０９により指定された範囲の距離を取得するステップである。
【００２５】
Ｓ２０６は、フォーカス範囲指定部１０９により指定された範囲の距離が取得できたかを判定するステップである。Ｓ２０７は、レンズ設定判定部１１１によりレンズ設定の判定をするステップである。ステップＳ２０８は、ユーザによりレンズ設定が変更されたかを判定するステップである。ステップＳ２０９、はフォーカスレンズを駆動し、任意の被写体に合焦するステップである。Ｓ２１０は、レリーズボタンが全押しされているかを判断するステップである。Ｓ２１１は、撮像部１０１により静止画撮影用のキャプチャをするステップである。Ｓ２１２は、撮像部１０１によりキャプチャした画像に対して画像処理部１０５により画像処理を施し、記録媒体１１６に記録するステップである。
【００２６】
図３は、ステップＳ２０７によるレンズ設定の判定に関するフローを示したフローチャートである。ステップＳ３０１は、ユーザが指定したフォーカス範囲の近端および遠端の距離マップが取得できなかったかを判定するステップである。ステップＳ３０２は、絞りを開放するよう判定するステップである。Ｓ３０３は、ユーザが指定したフォーカス範囲の近端のみ距離マップが取得できなかったかを判定するステップである。ステップＳ３０４は、レンズの焦点距離を近く、絞りを開放するよう判定するステップである。ステップＳ３０５は、レンズの焦点距離を遠く、絞りを開放するよう判定するステップである。ステップＳ３０６は、レンズ設定判定部１１１による判定結果に応じてレンズの設定情報を表示部１１４に表示するステップである。
【００２７】
処理が開始すると、ステップＳ２０１において表示レートに応じて撮像部１０１により表示部１１４にライブビュー画像を表示するための画像をキャプチャする。
【００２８】
ステップＳ２０２において、ステップＳ２０１で撮像部１０１によりキャプチャした瞳分割領域ごとの画像から、距離マップ取得部１０６によって画角内の被写体の距離情報を取得する。瞳分割領域ごとの画像から得られる位相差を用いて距離情報を検出する。瞳分割領域ごとの画像から位相差が検出できない領域、被写体については、距離情報を取得することができない。取得した画角内の被写体の距離情報は、距離情報が取得できたか否かも含めて、距離マップ管理部１０７で管理される。
【００２９】
ステップＳ２０３において、操作部１０８のレリーズボタンが半押しされているかを判定する。レリーズボタンが半押しされている場合はステップＳ２０４に進み、レリーズボタンが半押しされていない場合はステップＳ２０１に戻る。
【００３０】
ステップＳ２０４において、フォーカス範囲指定部１０９によりユーザがフォーカス範囲を指定しているかを制御部１１７により判定する。ユーザがフォーカス範囲を指定している場合はステップＳ２０５に進み、ユーザがフォーカス範囲を指定していない場合はステップＳ２０９に進む。
【００３１】
ステップＳ２０５において、フォーカス可能判定部１１０はフォーカス範囲指定部１０９によりユーザが指定したフォーカス範囲について、距離マップ管理部１０７を参照して距離情報を取得する。ユーザが指定した領域、被写体の距離情報が取得できている場合は距離情報を、取得できていない場合は、できていない旨が取得される。
【００３２】
ステップＳ２０６において、フォーカス可能判定部１１０はステップＳ２０５においてフォーカス範囲指定部１０９によりユーザが指定したフォーカス範囲について、全領域、被写体の距離情報が取得できたかを判定する。全領域、被写体の距離情報が取得できた場合はステップＳ２１０へ進み、取得できていない場合はステップＳ２０７へ進む。
【００３３】
ステップＳ２０７において、レンズ設定判定部１１１はレンズ設定の判定をおこなう。具体的には、図３のステップＳ３０１において、フォーカス範囲指定部１０９によりユーザが指定したフォーカス範囲のうち、近端と遠端両方の距離情報が取得できなかったかどうかを判定する。両方とも距離情報が取得できなかった場合はステップＳ３０２に進み、どちらか一方が取得できている場合はステップＳ３０３に進む。ステップＳ３０２において、レンズ設定判定部１１１はレンズの絞りを現在の設定よりも開放するように判定し、ステップＳ３０６に進む。
【００３４】
ステップＳ３０３において、レンズ設定判定部１１１はフォーカス指定範囲部１０９によりユーザが指定したフォーカス範囲のうち、近端のみの距離情報が取得できなかったかどうかを判定する。近端のみ距離情報が取得できなかった場合はステップＳ３０４に進み、そうではない、つまり遠端のみが取得できなかった場合はステップＳ３０５に進む。ステップＳ３０４において、レンズ設定判定部１１１はレンズの焦点距離を現在の設定よりも近く、レンズの絞りを現在の設定よりも開放するように判定し、ステップＳ３０６に進む。
【００３５】
ステップＳ３０５において、レンズ設定判定部１１１はフォーカス指定範囲部１０９によりレンズの焦点距離を現在の設定よりも遠く、レンズの絞りを現在の設定よりも開放するように判定し、ステップＳ３０５に進む。ステップＳ３０６において、制御部１１７は、そしてレンズ設定判定部１１１の判定結果に応じて表示部１１４にレンズ設定情報を表示するよう制御する。
【００３６】
ステップＳ２０８において、ユーザが光学系１０２の設定を変更したかどうかを判定する。ユーザが光学系１０２の設定を変更した場合は、ステップＳ２０１に戻る。ユーザが光学系１０２の設定を変更しなかった場合は、フォーカス範囲指定部１０９によりユーザが指定した領域に合焦した画像を得るためにリフォーカス処理をしないと判断して、ステップＳ２０９に進む。ステップＳ２０９において、フォーカス範囲指定部１０９によりユーザが指定した領域に合焦するため、光学系１０２を駆動してフォーカスを合わせる。
【００３７】
ステップＳ２１０において、操作部１０８のレリーズボタンが全押しされているかを判定する。レリーズボタンが全押しされている場合はステップＳ２１１に進み、レリーズボタンが全押しされていない場合はステップＳ２０１に戻る。
【００３８】
ステップＳ２１１において、撮像部１０１により静止画記録用の画像をキャプチャする。ステップＳ２１２において、ステップＳ２１１でキャプチャした静止画記録用の画像に対して複数の瞳分割領域画像と距離マップ管理部１０７が保持する距離情報を用いたリフォーカス処理を含む任意の画像処理を施す。そして記録媒体１１６に記録し、本フローを終了する。
【００３９】
これにより、撮影前にユーザが指定したリフォーカスしたい領域が、リフォーカス可能範囲外であるときに、リフォーカス可能範囲内になるようにレンズ設定を変更しやすくなる。そしてユーザが指定した領域に合焦したリフォーカス画像を生成可能な撮影ができるようになる。
【００４０】
［実施例２］
以下、図２と図４、図５を参照して、本発明の第２の実施例による、撮影時においてユーザが指定した範囲に対してリフォーカスによる合焦処理をおこなう際、レンズ情報を利用して設定情報を表示し、画像を生成する処理について説明する。
【００４１】
図４は、ステップＳ２０７によるレンズ設定の判定に関するもう１つのフローを示したフローチャートである。ステップＳ４０１は、光学系１０２の絞りが開放できるかを判定するステップである。ステップＳ４０２は、光学系１０２の絞りを開放するよう決定するステップである。ステップＳ４０３は、光学系１０２の絞りを変更できないと判定するステップである。ステップＳ４０４は、焦点距離に関する情報を決定するステップである。ステップＳ４０５は、レンズ設定判定部１１１による判定結果に応じてレンズの設定情報を表示部１１４に表示するステップである。
【００４２】
図５は、ステップＳ４０４による焦点距離に関する情報の判定に関するフローを示したフローチャートである。ステップＳ５０１は、ユーザが指定したフォーカス範囲の近端および遠端の距離マップが取得できなかったかを判定するステップである。ステップＳ５０２は、ユーザが指定したフォーカス範囲の近端のみ距離マップが取得できなかったかを判定するステップである。ステップＳ５０３は、光学系１０２の焦点距離を近くできるかを判定するステップである。ステップＳ５０４は、光学系１０２の焦点距離を近くするように決定するステップである。
【００４３】
ステップＳ５０５は、光学系１０２の焦点距離を遠くできるかを判定するステップである。ステップＳ５０６は、光学系１０２の焦点距離を遠くするように決定するステップである。ステップＳ５０７は、光学系１０２の焦点距離を変更できないと判定するステップである。
【００４４】
ステップＳ２０７以外の処理は実施例１と同様なので割愛する。ステップＳ２０７において、レンズ設定判定部１１１は図４および図５のフローチャートにしたがってレンズ設定の判定をおこなう。ステップＳ４０１において、レンズ設定判定部１１１は光学系１０２のレンズ情報を取得し、現在の絞りの設定に対してさらに開放可能かを判定する。開放可能な場合はステップＳ４０２に進み、開放不可能である場合はステップＳ４０３に進む。ステップＳ４０２において、レンズ設定判定部１１１はレンズの絞りを現在の設定よりも開放するように判定する。ステップＳ４０３において、レンズ設定判定部１１１はレンズの絞りを現在の設定から変更できないと判定する。ステップＳ４０４において、レンズ設定判定部は、図５のフローにしたがってレンズの焦点距離を判定する。
【００４５】
ステップＳ５０１において、フォーカス範囲指定部１０９によりユーザが指定したフォーカス範囲のうち、近端と遠端両方の距離情報が取得できなかったかどうかを判定する。両方とも距離情報が取得できなかった場合はステップＳ５０７に進み、どちらか一方が取得できている場合はステップＳ５０２に進む。ステップＳ５０２において、レンズ設定判定部１１１はフォーカス範囲指定部１０９によりユーザが指定したフォーカス範囲のうち、近端のみの距離情報が取得できなかったかどうかを判定する。近端のみ距離情報が取得できなかった場合はステップＳ５０３に進み、そうではない、つまり遠端のみが取得できなかった場合はステップＳ５０５に進む。
【００４６】
ステップＳ５０４において、レンズ設定判定部１１１は光学系１０２のレンズ情報を取得し、現在の焦点距離の設定に対してさらに焦点距離を近づけることが可能かを判定する。近づけることが可能な場合はステップＳ５０４に進み、近づけることができない場合はステップＳ５０７に進む。ステップＳ５０４において、レンズ設定判定部１１１はレンズの焦点距離を現在の設定よりも近づけるように判定する。ステップＳ５０５において、レンズ設定判定部１１１は光学系１０２のレンズ情報を取得し、現在の焦点距離の設定に対してさらに焦点距離を遠ざけることが可能かを判定する。
【００４７】
遠ざけることが可能な場合はステップＳ５０６に進み、遠ざけることができない場合はステップＳ５０７に進む。ステップＳ５０６において、レンズ設定判定部１１１はレンズの焦点距離を現在の設定よりも遠ざけるように判定する。ステップＳ５０７において、レンズ設定判定部１１１はレンズの焦点距離を変更できないと判定する。
【００４８】
ステップＳ４０５において、制御部１１７は、そしてレンズ設定判定部１１１の判定結果に応じて表示部１１４にレンズ設定情報を表示するよう制御する。なお、ステップＳ４０３においてレンズの絞りが変更できないと判定され、かつステップＳ５０７においてレンズの焦点距離が変更できないと判定された場合は、レンズの設定を変更しても合焦できない旨を表示することとする。
【００４９】
これにより、撮影前にユーザが指定したリフォーカスしたい領域が、リフォーカス可能範囲外であるときに、レンズの情報に基づいてレンズの設定をどう変更するかを表示することができる。このとき、レンズから絞り値（Ｆ値）や焦点距離の情報を取得し、現在の設定値や上限値、下限値を考慮して表示しても構わない。
【００５０】
以上、本発明の好ましい実施形態について説明したが、本発明はこれらの実施形態に限定されず、その要旨の範囲内で種々の変形及び変更が可能である。
【００５１】
本発明は、民生や業務用途において、画像撮影機器、再生機器、システム、アプリケーション、画像処理装置などに利用可能である。
【符号の説明】
【００５２】
１００：撮像装置
１０１：撮像部
１０２：光学系
１０３：撮像素子
１０４：Ａ／Ｄ変換部
１０５：画像処理部
１０６：距離マップ取得部
１０７：距離マップ管理部
１０８：操作部
１０９：フォーカス範囲指定部
１１０：フォーカス可能判定部
１１１：レンズ設定判定部
１１２：揮発性メモリ
１１３：不揮発性メモリ
１１４：表示部
１１５：記録媒体制御部
１１６：記録媒体
１１７：制御部
１１８：バス
【図１】
2019023679.tif 000003
【図２】
2019023679.tif 000004
【図３】
2019023679.tif 000005
【図４】
2019023679.tif 000006
【図５】
2019023679.tif 000007